(57)【要約】【課題】  屋内に湿度が充分に行きわたると共に結露の生じ難い安価な建物用加湿暖房システムを提供する。【解決手段】  高湿暖気２９を発生する加湿暖房器１２，１３，１４を建物Ｈの床下に配設すると共に、この加湿暖房器１２，１３，１４の加湿放熱部１５に建物Ｈの居室に連通するダクト１６，１９を気密に接続してある。このため、暖かくて飽和水蒸気量の多い高湿暖気高湿暖気２９をダクト１６，１９を介して居室１Ａ，１Ｂ，２Ａ，２Ｂに供給できる。【選択図】  図１ 
2006022987.tif 000002
【特許請求の範囲】
【請求項１】
給水源からの水を加熱して高湿暖気を発生させる加湿暖房器を建物の床下に配設し、前
記加湿暖房器の加湿放熱部に前記建物の居室に連通するダクトを気密に接続したことを特
徴とする建物用加湿暖房システム。
【請求項２】
前記給水源は加湿に必要な水を前記加湿暖房器に供給する水道管であり、前記加湿暖房
器は給水された水を加熱蒸発させて高湿暖気とするヒータを備えることを特徴とする請求
項１に記載の建物用加湿暖房システム。
【請求項３】
前記加湿暖房器が、上面に前記ダクトが気密に接続された蓄熱体と、前記蓄熱体を加熱
するヒータとを備え、前記水道管からの給水口は前記蓄熱体の上面の前記ダクト内に設け
られていることを特徴とする請求項２に記載の建物用加湿暖房システム。
【請求項４】
前記ヒータが、前記蓄熱体内に埋設されていることを特徴とする請求項３に記載の建物
用加湿暖房システム。
【請求項５】
前記蓄熱体が、前記水道管から前記蓄熱体の上面に給水される水分を高湿暖気にして前
記ダクト内に蒸発供給可能に設けられると共に、前記上面以外の部分から前記床下内に放
熱可能に設けられていることを特徴とする請求項４に記載の建物用加湿暖房システム。
【請求項６】
前記蓄熱体は前記水道管から上面に給水される水分を吸水可能な材料から形成されてい
ると共に、前記水道管からの前記蓄熱体の給水量及び前記ヒータによる加熱量は前記ダク
ト内のみに高湿暖気を蒸発供給可能な量に設定されていることを特徴とする請求項５に記
載の建物用加湿暖房システム。
【発明の詳細な説明】
【技術分野】
【０００１】
本発明は、建物の床下を利用して居室の加湿を行うと共に暖房を可能にした建物用加湿
暖房システムに関するものである。
【背景技術】
【０００２】
従来、冬季のように空気が乾燥する季節には、建物の居室は建材の割れ等が生じたり、
居住人への健康被害を生じることがあるため加湿装置による加湿が行われることがある。
この種の加湿装置として、火山噴出物の一種であるシラスを容器内に収容すると共に中間
の適宜の高さまで水を満たし、シラス上部側からの水分の自然蒸発により加湿作用を行う
ものが知られている（例えば、特許文献１参照）。
【０００３】
また、別の加湿装置として、専用の比較的大型の加湿装置を建物の所定箇所に設置して
ダクトにより建物の居室に加湿空気を搬送する加湿空気搬送システムが知られている（例
えば、特許文献２参照）。
【特許文献１】特開２００４−２８３０８０号公報
【特許文献２】特開２００３−３０２０７５号公報
【発明の開示】
【発明が解決しようとする課題】
【０００４】
しかしながら、シラスを利用して加湿を行う加湿装置においては、居室の加湿はシラス
からの自然蒸発による成り行きとなるため、居室の湿度のコントロールができないという
問題があった。また、シラスからは常に水分の蒸発が行われるために、居室が湿潤状態に
なってカビ発生を生じる問題があった。
【０００５】
次に、建物の適宜の場所に専用の加湿装置を設置して、ダクトにより加湿空気を各居室
に搬送するようにした加湿空気搬送システムにおいては、ダクトにより加湿空気を宅内の
各居室に搬送するが、宅内全体に湿度を行き渡らせようとして、加湿装置により加湿空気
を大量に発生させると、ダクト及び宅内に結露を生じる問題があった。また、このような
専用の加湿装置及びダクト配管を行うシステムは加湿手段としては高価になる問題があっ
た。
【０００６】
本発明は、屋内に湿度が充分に行きわたると共に結露の生じ難い安価な建物用加湿暖房
システムを提供することを目的とするものである。
【課題を解決するための手段】
【０００７】
本発明は、上述事情に鑑みなされたものであって、請求項１に記載の発明は、給水源か
らの水を加熱して高湿暖気を発生させる加湿暖房器を建物の床下に配設し、前記加湿暖房
器の加湿放熱部に前記建物の居室に連通するダクトを気密に接続したことを特徴としてい
る。
【０００８】
また、前記給水源は加湿に必要な水を前記加湿暖房器に供給する水道管であり、前記加
湿暖房器は給水された水を加熱蒸発させて高湿暖気とするヒータを備えることを特徴とし
ている。
【０００９】
また、前記加湿暖房器が、上面に前記ダクトが気密に接続された蓄熱体と、前記蓄熱体
を加熱するヒータとを備え、前記水道管からの給水口は前記蓄熱体の上面の前記ダクト内
に設けられていることを特徴としている。
【００１０】
また、前記ヒータが、前記蓄熱体内に埋設されていることを特徴としている。
【００１１】
また、前記蓄熱体が、前記水道管から前記蓄熱体の上面に給水される水分を高湿暖気に
して前記ダクト内に蒸発供給可能に設けられると共に、前記上面以外の部分から前記床下
内に放熱可能に設けられていることを特徴としている。
【００１２】
また、前記蓄熱体は前記水道管から上面に給水される水分を吸水可能な材料から形成さ
れていると共に、前記水道管からの前記蓄熱体の給水量及び前記ヒータによる加熱量は前
記ダクト内のみに高湿暖気を蒸発供給可能な量に設定されていることを特徴としている。
【発明の効果】
【００１３】
本発明の請求項１に係わる発明によれば、高湿暖気を発生する加湿暖房器を建物の床下
に配設すると共に、この加湿暖房器の加湿放熱部に建物の居室に連通するダクトを気密に
接続したので、暖かくて飽和水蒸気量の多い高湿暖気をダクトを介して居室に供給できる
。そして、この居室に供給される高湿暖気は、１日を通して徐々に居室内に搬送すること
ができるので、居室内に充分な湿度が行きわたると共に結露の虞も少ない。
【００１４】
また、請求項２に係わる発明によれば、加湿暖房器には水道管により加湿に必要な量の
水を供給すると共に、この加湿暖房器は供給された水を加熱蒸発させて高湿暖気とするヒ
ータを備えるので、簡単な構造の加湿暖房器から高湿暖気を継続して発生させることがで
きる。
【００１５】
また、請求項３に係わる発明によれば、ダクトが気密に接続された蓄熱体とこの蓄熱体
を加熱するヒータとを加湿暖房器に設け、かつ、水道管の給水口は蓄熱体上面のダクト内
に設けたので、蓄熱体から加熱蒸発する高湿暖気をダクト内を経て居室内に供給させるこ
とができる。
【００１６】
また、請求項４に係わる発明によれば、加湿暖房器の蓄熱体を加熱するヒータを蓄熱体
に埋設したので、蓄熱体を内部から加熱することができる。
【００１７】
また、請求項５に係わる発明によれば、蓄熱体が上面に給水される水分を高湿暖気にし
て前記ダクト内に蒸発供給可能であると共に、上面以外の部分から床下内に放熱可能にし
たので、蓄熱体により加熱蒸発される高湿暖気はダクトを経て居室内に給送すると共に、
上面以外の部分からは床下内を加熱することができる。これにより、床下内を湿気を伴う
ことなく暖房できて居室を効率よく床下暖房することができる。
【００１８】
また、請求項６に係わる発明によれば、蓄熱体が吸水可能な材料から形成すると共に、
蓄熱体に対する水道管からの給水量及びヒータによる加熱量が、蓄熱体がダクト内のみに
高湿暖気を蒸発供給可能な量に設定されているようにしたので、蓄熱体からは常に適正な
量の高湿暖気を発生させて居室に給送することができる。
【発明を実施するための最良の形態】
【００１９】
以下、本発明の実施の形態を図面に基づいて説明する。
【００２０】
図１は本発明の建物用加湿暖房システムが適用された建物Ｈを示している。この建物Ｈ
は、一階に一階居室（下階居室）１Ａ，１Ｂを有すると共に、二階（上階居室）には二階
居室２Ａ，２Ｂをそれぞれ有している。
【００２１】
一階居室１Ａ，１Ｂの床３と基礎４との間には一階床下空間５が形成されており、この
一階床下空間５の周囲は布基礎６により囲われている。また、布基礎６の内面は基礎断熱
材７が貼り付けられている。
【００２２】
また、一階居室１Ａ，１Ｂの天井８と二階居室２Ａ，２Ｂの床９との間には二階床下空
間１０が形成されている。この二階床下空間１０と前記一階床下空間５とは通路１１によ
り導通されている。
【００２３】
前記一階床下空間５内には一階用の複数の加湿暖房器１２，１３と二階用の加湿暖房器
１４とがそれぞれ配設されている。各加湿暖房器１２，１３，１４の上面は加湿放熱部１
５をそれぞれ有しており、加湿暖房器１２，１３の加湿放熱部１５にはダクト１６の下部
が気密に接続されている。
【００２４】
前記加湿暖房器１２に接続されているダクト１６の上端は一階居室１Ａ側の床３に設け
られた加湿放熱口１７に気密に接続されている。また、加湿暖房器１３に接続されている
ダクト１６の上端は一階居室１Ｂ側の床３に設けられた加湿放熱口１８に気密に接続され
ている。
【００２５】
また、二階用の加湿暖房器１４の加湿放熱部１５にはダクト１９が気密に接続されてお
り、このダクト１９は前述した通路１１内を通って上方の二階床下空間１０内に延びてい
て、その上部は分岐部２０において二つのダクト１９ａ，１９ｂに分岐されている。
【００２６】
一方のダクト１９ａの上端は二階居室２Ａの加湿放熱口２１に気密に接続されて二階居
室２Ａに連通され、他方のダクト１９ｂの上端は二階居室２Ｂの加湿放熱口２２に気密に
接続されて二階居室２Ｂに連通されている。
【００２７】
また、ダクト１９内には制御弁２４が配設されている。この制御弁２４は、二階居室２
Ａ，２Ｂの湿度・温度を検知センサＳ１，Ｓ２により検知して、二階居室２Ａ，２Ｂに対
する高湿暖気の給送量を制御装置２５（図３参照）により自由にコントロールするもので
ある。なお、この制御弁２４と共に必要に応じて送風ファンを配設することも可能である
。
【００２８】
上記の加湿暖房器１２，１３，１４は同じ構造をしており、加湿暖房器１２を例にとっ
て図２により加湿暖房器の概略を説明する。
【００２９】
図２において、加湿暖房器１２内には図示しない加熱手段が埋設されていて加湿暖房器
１２を加熱している。この加湿暖房器１２の上面の加湿放熱部１５には給水源としての水
道管２６の端部２６ａが配置されている。この端部２６ａに設けられた給水口２６ｂは、
加湿暖房器１２に気密に接続されているダクト１６内に位置している。
【００３０】
前記水道管２６は、給水部２７から水を供給されているようになっている。この水道管
２６からの水の給水量は、給水量設定部２８の設定により所定の量に設定されている。
【００３１】
加湿暖房器１２の加湿放熱部１５に水を供給すると共に、図示しない加熱手段により加
熱することにより、加湿暖房器１２（１３，１４）の加湿放熱部１５からは高湿暖気２９
が発生して上方に供給される。また、加湿暖房器１２の上面以外の部分としての側部３０
からは放射熱３１が放熱されている。
【００３２】
図３は加湿暖房器１２（１３，１４）の  具体的な構造を示している。加湿暖房器１２
（１３，１４）のは、蓄熱体３２とこの蓄熱体３２内に埋設されたヒータ３３とを有して
いる。この蓄熱体３２は、吸水性及び蓄熱性のあるレンガ等からなっている。
【００３３】
上記ヒータ３３による蓄熱体３２の加熱量は、ヒータ３３に電力を供給している電源３
４の電力供給量を加熱量設定部３５により設定することにより調整されている。
【００３４】
他の加湿装置１３，１４においても同様の蓄熱体３２がそれぞれ備えられている。そし
て、加湿暖房器１２，１３，１４の給水量を設定する給水量設定部２８及び加熱量を設定
する加熱量設定部３５は、各加湿暖房器１２，１３，１４毎に設けてもよく、或いは、一
つの給水量設定部２８及び加熱量設定部３５によって各加湿暖房器１２，１３，１４を同
時に設定するようにすることも可能である。
【００３５】
また、図１におけるダクト１６内に前記制御弁２４と同様の制御弁を設けて、この制御
弁を動作させることにより一階居室１Ａ，１Ｂに対する加湿暖房を開始するようにしても
よい。
【００３６】
［作用］
次に、上記のように構成された建物用加湿暖房システムの作用について説明する。
【００３７】
上記のように構成された建物用加湿暖房システムにおいては、図１の加湿暖房器１２，
１３，１４に対する給水・加熱をして、加湿暖房器１２，１３，１４から発生する暖かく
飽和水蒸気量の多い高湿暖気を１日を通して徐々に一階居室１Ａ，１Ｂ及び二階居室２Ａ
，２Ｂに供給することにより行われる。
【００３８】
このため、加湿暖房器１２，１３，１４内の蓄熱体３２（図３参照）を徐々に加熱する
ために深夜電力を有効利用することができる。この深夜電力を利用した加湿暖房システム
の運転例は、例えば、次のようにして行われる。
【００３９】
時刻２３時において、図３に示す水道管２６から蓄熱体３２に給水が行われる。時刻１
：００〜６：００において、深夜電力を利用してヒータ３３による蓄熱体３２の加熱を行
って蓄熱体３２に蓄熱が行われる。
【００４０】
このとき、蓄熱体３２に給水された水は次第に蒸発し、図１、図２の加湿暖房器１２，
１３，１４内に熱気と共に飽和水蒸気量の多い高湿暖気として存在する。次に、時刻６：
００において、図１のダクト１９内の制御弁２４が動作されて二階居室２Ａ，２Ｂに対す
る高湿暖気の給送が開始される。
【００４１】
また、一階居室１Ａ，１Ｂに対しては、蓄熱体３２への給水とヒータ３３による加熱に
より蓄熱が行われるときに、高湿暖気の給送が行われるが、ダクト１６に前記制御弁２４
と同様の制御弁を設けおけば、二階居室２Ａ，２Ｂと同様に６：００に高湿暖気の給送を
開始することができる。
【００４２】
この一階居室１Ａ，１Ｂ及び二階居室２Ａ，２Ｂに給送される高湿暖気は、１日を通し
て徐々に居室内に搬送することができるので、居室内に充分な湿度が行きわたると共に結
露の虞も少ない。
【００４３】
また、加湿暖房器１２（１３，１４）の加湿放熱部１５の上面以外の部分（側部）３０
からは、図１の一階床下空間５を加熱する放射熱が放熱されて床下暖房が行われる。そし
て、図１の二階床下空間１０は、ダクト１９からの放熱及び通路１１とダクト１９間を通
る暖められた空気により床下暖房されている。
【００４４】
このように、深夜電力により蓄熱体３２に蓄熱された潜熱が一階床下空間５及び二階床
下空間１０に（図１参照）にそれぞれ放熱される。このため、暖房効率のよい床下暖房を
効率的に行うことができて、ランニングコストの安い建物用加湿暖房システムを実現する
ことができる。
【００４５】
また、図１の加湿暖房器１２，１３，１４、比較的広い床下空間５を利用して配置され
ている。このため、建物Ｈの一階居室１Ａ，１Ｂ，２Ａ，２Ｂに専用の加湿装置を設ける
スペースを必要としない利点がある。さらに、床下が常に乾燥しているので、湿気による
床下の土台や大引等の構造材の腐敗が防止されて建物の寿命を延ばすことができる。
なお、図３における給水量設定部２８及び加熱量設定部３５による蓄熱体３２への給水
量及び加熱量の設定は、使用者による手動操作で行ってもよい。
【００４６】
この給水量設定部２８の設定操作により、制御装置２５は所望の給水量となるように給
水部２７を制御する。また、加熱量設定部３５の設定操作により、制御装置２５は、ヒー
タ３３が所望の加熱を行うように電源３４を制御する。
【００４７】
また、二階居室２Ａ，２Ｂに設けられた湿度・温度をセンサＳ１，Ｓ２により検知する
ことにより、制御装置２５により給水部２７及び電源３４をそれぞれ制御して、所望の高
湿暖気２９及び放射熱３１が得られるようにしてもよい。
【００４８】
なお、図１の両ダクト１６にもダクト１９内の制御弁２４と同様の制御弁を設けると共
に、前記センサＳ１，Ｓ２と同様のセンサを一階居室１Ａ，１Ｂ内に設けることにより、
給水部２７からの給水量及び電源３４からの電源供給によるヒータ３３の加熱量を自動的
に制御して、加湿暖房器１２，１３からの高湿暖気２９（図２参照）及び放射熱３１の量
を制御するようにしてもよい。
【００４９】
以上説明した発明の実施の形態の建物用加湿暖房システムは、給水源（２６）からの水
を加熱して高湿暖気（２９）を発生させる加湿暖房器（１２，１３，１４）を建物（Ｈ）
の床下に配設し、前記加湿暖房器（１２，１３，１４）の加湿放熱部（１５）に前記建物
（Ｈ）の居室（１Ａ，１Ｂ，２Ａ，２Ｂ）に連通するダクト（１６，１９）を気密に接続
してある。
【００５０】
この構成によれば、高湿暖気（２９）を発生する加湿暖房器（１２，１３，１４）を建
物（Ｈ）の床下に配設すると共に、この加湿暖房器（１２，１３，１４）の加湿放熱部（
１５）に建物（Ｈ）の居室に連通するダクト（１６，１９）を気密に接続したので、暖か
くて飽和水蒸気量の多い高湿暖気（２９）をダクト（１６，１９）を介して居室（１Ａ，
１Ｂ，２Ａ，２Ｂ）に供給できる。そして、この居室（１Ａ，１Ｂ，２Ａ，２Ｂ）に供給
される高湿暖気（２９）は、１日を通して徐々に居室（１Ａ，１Ｂ，２Ａ，２Ｂ）内に搬
送することができるので、居室（１Ａ，１Ｂ，２Ａ，２Ｂ）内に充分な湿度が行きわたる
と共に結露の虞も少ない。
【００５１】
また、この発明の実施の形態の建物用加湿暖房システムは、前記給水源（２６）が加湿
に必要な水を前記加湿暖房器（１２，１３，１４）に供給する水道管（２６）であり、前
記加湿暖房器（１２，１３，１４）は給水された水を加熱蒸発させて高湿暖気（２９）と
するヒータ（３３）を備えている。
【００５２】
この構成によれば、加湿暖房器（１２，１３，１４）には水道管（２６）により加湿に
必要な量の水を供給すると共に、この加湿暖房器（１２，１３，１４）は供給された水を
加熱蒸発させて高湿暖気（２９）とするヒータ（３３）を備えるので、簡単な構造の加湿
暖房器（１２，１３，１４）から高湿暖気（２９）を継続して発生させることができる。
【００５３】
また、この発明の実施の形態の建物用加湿暖房システムは、前記加湿暖房器が、上面に
前記ダクト（１６，１９）が気密に接続された蓄熱体（３２）と、前記蓄熱体（３２）を
加熱するヒータ（３３）とを備え、前記水道管（２６）からの給水口（２６ｂ）は前記蓄
熱体の上面の前記ダクト内に設けられている。
【００５４】
この構成によれば、ダクト（１６，１９）が気密に接続された蓄熱体（３２）とこの蓄
熱体（３２）を加熱するヒータ（３３）とを加湿暖房器（１２，１３，１４）に設け、か
つ、水道管（２６）の給水口（２６ｂ）は蓄熱体（３２）上面のダクト（１６，１９）内
に設けたので、蓄熱体（３２）から加熱蒸発する高湿暖気（２９）はダクト（１６，１９
）内を経て居室（１Ａ，１Ｂ，２Ａ，２Ｂ）内に供給させることができる。
【００５５】
また、この発明の実施の形態の建物用加湿暖房システムは、前記ヒータ（３３）が、前
記蓄熱体（３２）内に埋設されている。
【００５６】
この構成によれば、加湿暖房器（１２，１３，１４）の蓄熱体（３２）を加熱するヒー
タ（３３）を蓄熱体（３２）に埋設したので、蓄熱体（３２）を内部から加熱することが
できる。
【００５７】
また、この発明の実施の形態の建物用加湿暖房システムは、前記蓄熱体（３２）が、前
記水道管（２６）から前記蓄熱体（３２）の上面に給水される水分を高湿暖気（２９）に
して前記ダクト（１６，１９）内に蒸発供給可能に設けられると共に、前記上面以外の部
分から前記床下内に放熱可能に設けられている。
【００５８】
この構成によれば、蓄熱体（３２）が上面に給水される水分を高湿暖気（２９）にして
前記ダクト（１６，１９）内に蒸発供給可能であると共に、上面以外の部分（３０）から
床下内に放熱可能にしたので、蓄熱体（３２）により加熱蒸発される高湿暖気（２９）は
ダクト（１６，１９）を経て居室（１Ａ，１Ｂ，２Ａ，２Ｂ）内に給送すると共に、上面
以外の部分（３０）からは床下内を加熱することができる。これにより、床下内を湿気を
伴うことなく暖房できて居室（１Ａ，１Ｂ，２Ａ，２Ｂ）を効率よく床下暖房することが
できる。
【００５９】
また、この発明の実施の形態の建物用加湿暖房システムは、前記蓄熱体（３２）は前記
水道管（２６）から上面に給水される水分を吸水可能な材料から形成されていると共に、
前記水道管（２６）からの前記蓄熱体（３２）の給水量及び前記ヒータ（３３）による加
熱量は前記ダクト（１６，１９）内のみに高湿暖気（２９）を蒸発供給可能な量に設定さ
れている。
【００６０】
この構成によれば、蓄熱体（３２）が吸水可能な材料から形成すると共に、蓄熱体（３
２）に対する水道管（２６）からの給水量及びヒータ（３３）による加熱量が、蓄熱体（
３２）がダクト（１６，１９）内のみに高湿暖気（２９）を蒸発供給可能な量に設定され
ているようにしたので、蓄熱体（３２）からは常に適正な量の高湿暖気を発生させて居室
（１Ａ，１Ｂ，２Ａ，２Ｂ）に給送することができる。
【００６１】
以上、図面を参照してして、本発明の実施の形態及び実施例を詳述してきたが、具体的
な構成は、この実施の形態に限らず、本発明の要旨を逸脱しない程度の設計的変更は、本
発明に含まれるものである。
【図面の簡単な説明】
【００６２】
【図１】本発明の建物用加湿暖房システムが適用されている建物の縦断正面図である。
【図２】加湿暖房器の概略を示す正面図である。
【図３】加湿暖房器に含まれる蓄熱体及び給水部、加熱部を示す縦断正面図である。
【符号の説明】
【００６３】
１Ａ，１Ｂ      一階居室
２Ａ，２Ｂ      二階居室
１２，１３，１４  加湿暖房器
１５              加湿暖房器の加湿放熱部
１６，１９        ダクト
２６              水道管
２６ｂ            給水口
２９              高湿暖気
３０              側部及び底部
３１              放射熱
３２              蓄熱体
３３              ヒータ
【図１】
2006022987.tif 000003
【図２】
2006022987.tif 000004
【図３】
2006022987.tif 000005